(57)【要約】【課題】簡易に光の配光を変化させることができる照明装置を提供することである。【解決手段】実施形態に係る照明装置１は、実施形態の照明装置１は、放熱器１００に形成された開口部１０１ｃ内の筒状部材１０１ｂの側面に、開口部１０１ｃの開口側から発光素子１２に向かう方向に間隔をあけて設けられた複数の第１固定部材１５０ａ〜１５２ｂを具備する。実施形態の照明装置１は、投光開口が形成され、開口部１０１ｃに挿入される筒状部材２６０を有する化粧枠２００を具備する。実施形態の照明装置１は、筒状部材２６０が開口部１０１ｃに挿入される方向に、筒状部材２６０の外面に間隔をあけて設けられ、かつ、筒状部材２６０が開口部１０１ｃに挿入される長さが異なる複数の位置で第１固定部材１５０ａ〜１５２ｂと係合することが可能な複数の第２固定部材２５０ａ〜２５２ｂを具備する。【選択図】図３
2014067505.tif 000002
【特許請求の範囲】
【請求項１】
平面部材、及び、前記平面部材の所定面から延びる第１筒状部材を有する放熱器と；
板状の基板の所定面に発光素子が実装され、かつ、前記所定面とは反対側の前記基板の面が、前記第１筒状部材によって形成された開口部内の前記平面部材の前記所定面に取り付けられた発光モジュールと；
前記基板の前記所定面側に設けられ、前記発光素子から放射される光を反射する反射体と；
前記開口部内の前記第１筒状部材の側面に、前記開口部の開口側から前記発光素子に向かう方向に間隔をあけて設けられた複数の第１固定部材と；
投光開口が形成され、前記開口部に挿入される第２筒状部材、及び、天井に固定されるための押さえ部材を有する化粧枠と；
前記第２筒状部材が前記開口部に挿入される方向に、前記第２筒状部材の外面に間隔をあけて設けられ、かつ、前記第２筒状部材が前記開口部に挿入される長さが異なる複数の位置で前記第１固定部材と係合することが可能な複数の第２固定部材と；
を具備することを特徴とする照明装置。
【請求項２】
前記複数の第１固定部材のそれぞれは、前記第１筒状部材の側面に設けられた位置が前記平面部材に近づくほど、前記開口部の周方向の長さが長くなる
ことを特徴とする請求項１に記載の照明装置。
【請求項３】
前記第２筒状部材には、前記第２筒状部材が前記開口部に挿入される長さが異なる複数の位置で前記第１固定部材と前記第２固定部材とが係合した場合における前記開口部の開口部分の位置を示す溝が形成されている
ことを特徴とする請求項１または２に記載の照明装置。
【請求項４】
前記複数の第１固定部材間に、前記第２の固定部材の位置を固定するための第３固定部材を設けたことを特徴とする請求項１〜３のいずれか１つに記載の照明装置。
【発明の詳細な説明】
【技術分野】
【０００１】
本発明の実施形態は、照明装置に関する。
【背景技術】
【０００２】
従来、ＬＥＤ（Light  Emitting  Diode）等の半導体発光素子を光源とする照明装置が用いられている。かかる照明装置の一例としては、光源ランプを覆う反射体と化粧枠とが一体的に設けられた照明装置が挙げられる。かかる照明装置では、反射体及び化粧枠などによって照明装置から放射される光の配光が調整される。
【０００３】
また、照明装置が設置される室内の用途ごとに、上限のＵＧＲ（Unified  Glare  Rating）値がＪＩＳ（Japanese  Industrial  Standards）によって規定されている。照明装置は、かかる規定が示す条件を満たすものが用いられる。ここで、ＵＧＲ値は、ＵＧＲ法により算出されるものであり、照明装置の輝度、室内の壁の輝度などを総合的に評価した評価値である。ＵＧＲ値は、大きくなるほど不快感が高いことを示す。例えば、ＵＧＲ値は、会社の玄関ホールでは「２２」、会社の通路では「２８」など用途によって対応する値が異なる。
【０００４】
ここで、例えば、室内が改装された場合には、改装後の室内の新たな用途に対応する新たな上記条件を満たすように、照明装置から放射される光の配光を変化させる必要がある。光の配光を変化させる場合には、照明装置の化粧枠及び反射体を交換しなければならない。
【０００５】
しかしながら、このような照明装置では、光の配光を変化させる場合に、化粧枠及び反射体を交換しなければならないので、簡易に光の配光を変化させることができない。
【先行技術文献】
【特許文献】
【０００６】
【特許文献１】特開２０１０−２６２８４６号公報
【発明の概要】
【発明が解決しようとする課題】
【０００７】
本発明が解決しようとする課題は、簡易に光の配光を変化させることができる照明装置を提供することである。
【課題を解決するための手段】
【０００８】
実施形態の照明装置は、平面部材、及び、平面部材の所定面から延びる第１筒状部材を有する放熱器を具備する。実施形態の照明装置は、板状の基板の所定面に発光素子が実装され、かつ、所定面とは反対側の基板の面が、第１筒状部材によって形成された開口部内の平面部材の所定面に取り付けられた発光モジュールを具備する。実施形態の照明装置は、基板の所定面側に設けられ、発光素子から放射される光を反射する反射体を具備する。実施形態の照明装置は、開口部内の第１筒状部材の側面に、開口部の開口側から発光素子に向かう方向に間隔をあけて設けられた複数の第１固定部材を具備する。実施形態の照明装置は、投光開口が形成され、開口部に挿入される第２筒状部材、及び、天井に固定されるための押さえ部材を有する化粧枠を具備する。実施形態の照明装置は、第２筒状部材が開口部に挿入される方向に、第２筒状部材の外面に間隔をあけて設けられ、かつ、第２筒状部材が開口部に挿入される長さが異なる複数の位置で第１固定部材と係合することが可能な複数の第２固定部材を具備する。
【図面の簡単な説明】
【０００９】
【図１】図１は、第１の実施形態に係る照明装置の外観例を示す斜視図である。
【図２】図２は、第１の実施形態に係る照明装置の外観例を示す斜視図である。
【図３】図３は、第１の実施形態に係る照明装置１の分解例を示す斜視図である。
【図４】図４は、第１の実施形態に係る照明装置１の分解例を示す斜視図である。
【図５】図５は、図５は、反射体の上面図である。
【図６】図６は、突起部材が形成された部分の拡大図である。
【図７】図７は、下面カバー８００の周縁部に形成された固定部材８００ａの拡大図である。
【図８】図８は、反射体に、下面カバーを取り付ける方法を説明するための図である。
【図９】図９は、第１固定部材が位置する筒状部材の部分の拡大図である。
【図１０】図１０は、第２固定部材を説明するための図である。
【図１１】図１１は、第１固定部材と第２固定部材との係合の第１の状態について説明するための図である。
【図１２】図１２は、第１固定部材と第２固定部材との係合の第２の状態について説明するための図である。
【図１３】図１３は、第１の状態での発光素子から化粧枠の下端部までの距離の一例を説明するための図である。
【図１４】図１４は、第２の状態での発光素子から化粧枠の下端部までの距離の一例を説明するための図である。
【図１５】図１５は、第２の実施形態に係る照明装置の化粧枠の外観例を示す図である。
【図１６】図１６は、第３の実施形態に係る照明装置の化粧枠の外観例を示す図である。
【発明を実施するための形態】
【００１０】
以下で説明する第１〜第３の実施形態に係る照明装置１は、平面部材１０１ａ、及び、平面部材１０１ａの所定面から延びる第１筒状部材である筒状部材１０１ｂを有する放熱器１００を具備する。実施形態の照明装置１は、板状の基板１１の所定面に発光素子１２が実装され、かつ、所定面とは反対側の基板１１の面が、筒状部材１０１ｂによって形成された開口部１０１ｃ内の平面部材１０１ａの所定面に取り付けられた発光モジュール１２を具備する。実施形態の照明装置１は、基板１１の所定面側に設けられ、発光素子１２から放射される光を反射する反射体７００を具備する。実施形態の照明装置１は、開口部１０１ｃ内の筒状部材１０１ｂの側面に、開口部１０１ｃの開口側から発光素子１２に向かう方向に間隔をあけて設けられた複数の第１固定部材１５０ａ〜１５２ｂを具備する。実施形態の照明装置１は、投光開口が形成され、開口部１０１ｃに挿入される第２筒状部材である筒状部材２６０、及び、天井に固定されるための押さえ部材１５ａ〜１５ｃを有する化粧枠２００を具備する。実施形態の照明装置１は、筒状部材２６０が開口部１０１ｃに挿入される方向に、筒状部材２６０の外面に間隔をあけて設けられ、かつ、筒状部材２６０が開口部１０１ｃに挿入される長さが異なる複数の位置で第１固定部材１５０ａ〜１５２ｂと係合することが可能な複数の第２固定部材２５０ａ〜２５２ｂを具備する。
【００１１】
また、以下で説明する第１〜第３の実施形態に係る照明装置１において、複数の第１固定部材１５０ａ〜１５２ｂのそれぞれは、筒状部材１０１ｂの側面に設けられた位置が平面部材１０１ａに近づくほど、開口部１０１ｃの周方向の長さが長くなる。
【００１２】
また、以下で説明する第２の実施形態に係る照明装置１において、筒状部材２６０には、筒状部材２６０が開口部１０１ｃに挿入される長さが異なる複数の位置で第１固定部材１５０ａ〜１５２ｂと第２固定部材２５０ａ〜２５２ｂとが係合した場合における開口部１０１ｃの開口部分の位置を示す溝２７０、２７１が形成されている。
【００１３】
また、以下で説明する第３の実施形態に係る照明装置１において、複数の第１固定部材１５０ａ〜１５２ｂ間に、第２の固定部材２５０ａ〜２５２ｂの位置を固定するための第３固定部材２８１、２８２が設けられている。
【００１４】
また、以下で説明する第１〜第３の実施形態に係る照明装置１において、第１固定部材１５０ａ〜１５２ｂと放熱器１００とが一体成形されていてもよい。
【００１５】
また、以下で説明する第１〜第３の実施形態に係る照明装置１において、第１固定部材１５０ａ〜１５２ｂは、アルミダイカストを含む材料により形成された部材であってもよい。
【００１６】
（第１の実施形態）
図１及び図２は、第１の実施形態に係る照明装置１の外観例を示す斜視図である。図１では、照明装置１を斜め上方向から見た例を示し、図２では、照明装置１を斜め下方向から見た例を示す。
【００１７】
図１及び図２に示した照明装置１は、例えば、屋内の天井に埋め込み設置されるダウンライト型の照明器具である。図１及び図２に示した照明装置１は、例えば、内部に実装されたＬＥＤ等の発光素子を発光させることにより、図１及び図２に示した下方向に位置する室内等を照明する。かかる照明装置１は、放熱器１００と、化粧枠２００とを具備する。
【００１８】
放熱器１００は、熱伝導性の高い金属製である。例えば、放熱器１００は、アルミダイカストにより成型される。かかる放熱器１００は、平面部材である複数の放熱フィン１１０により形成される。また、後述するが、放熱器１００の内部には、ＬＥＤ等の発光素子１２を有する発光モジュール１０が設けられる（図３、４を参照）。放熱器１００は、発光素子１２から発生する熱を外部に放出する。これにより、放熱器１００は、照明装置１の温度上昇を抑制することができる。また、放熱器１００は、化粧枠２００に取り付けられるが、取付方法については後述する。
【００１９】
化粧枠２００は、例えば、ＡＢＳ樹脂などの合成樹脂製である。かかる化粧枠２００は、上下両端がそれぞれ略円形に開口された円筒形状に形成され、下端部から外向きに突出した環状フランジ２１０を有する。具体的には、化粧枠２００には、図２（図３及び図４も参照）に示すように、投光開口２２０が形成される。化粧枠２００は、後述の反射体７００の少なくとも一部を覆うように、放熱器１００に取り付けられる。かかる化粧枠２００は、発光素子１２により放射される光の配光を調整する。具体的には、発光素子１２から放射された光は、化粧枠２００の投光開口２２０を通過するので、化粧枠２００の円筒形状の内径や、発光素子１２から化粧枠１００の円筒形状の下端部までの長さなどによって、発光素子１２から放射された光の照射方向が調整される。
【００２０】
また、化粧枠２００の外壁２３０には、取付部材２４０ａ〜２４０ｃが設けられている。取付部材２４０ａ〜２４０ｃのそれぞれには、取り付けバネ１５ａ〜１５ｃのそれぞれが嵌め込まれて取り付けられる。また、化粧枠２００の外壁２３０には、図示しない天板が取り付けられる。天板には、図示しない端子台が取り付けられる。端子台は、接続線（ハーネス）を介して、図示しない商用交流電源と接続される。また、端子台は、接続線を介して、放熱器１００の平面部に接着された発光モジュール１０の基板１１の電極と接続される。これにより、端子台は、商用交流電源からの電力を基板１１に出力する。すなわち、端子台は、商用交流電源からの電力供給を中継する機能を有する。  
【００２１】
取り付けバネ１５ａ〜１５ｃは、金属板の弾性部材であり、化粧枠２００の取付部材２４０ａ〜２４０ｃに取り付けられた状態で外部から上方向に押圧されることにより、化粧枠２００の外壁２３０と略平行となる位置まで折れ曲がることが可能である。照明装置１は、天井に埋め込み設置される場合に、取り付けバネ１５ａ〜１５ｃが化粧枠２００の外壁２３０と略平行となる位置まで折り曲げられた状態で天井壁の埋め込み孔に挿入され、環状フランジ２１０が天井に接触するまで押し上げられる。そして、取り付けバネ１５ａ〜１５ｃは、外部から押圧されなくなることで図１に示した状態に復元し、環状フランジ２１０との間で天井壁を挟持する。これにより、照明装置１は、天井に埋め込み設置される。取り付けバネ１５ａ〜１５ｃは、押さえ部材の一例である。
【００２２】
（照明装置の分解例）
次に、図３及び図４を参照して、本実施形態に係る照明装置１の分解例について説明する。図３及び図４は、第１の実施形態に係る照明装置１の分解例を示す斜視図である。図３は、照明装置１を正面方向の斜め下方向から見た例を示す。図４は、照明装置１を裏面方向の斜め下方向から見た例を示す。
【００２３】
図３及び図４に示すように、放熱器１００は、略円柱状、かつ、下端部が開口された形状に形成される。具体的には、放熱器１００は、発光モジュール１０が載置される平面部材１０１ａを有する。また、放熱器１００は、平面部材１０１ａの所定面から延びる筒状の部材である筒状部材１０１ｂを有する。図３及び図４に示すように、かかる筒状部材１０１ｂによって開口部１０１ｃが形成される。
【００２４】
開口部１０１ｃ内の平面部材１０１ａには、板状の基板１１と複数の発光素子１２とを有する発光モジュール１０が載置される。具体的には、開口部１０１ｃ内の平面部材１０１ａの上記所定面には、接着部材を介して、複数の発光素子１２が実装された基板１１が設置される。すなわち、発光モジュール１０では、基板１１の所定面に発光素子１２が実装され、かつ、基板１１の所定面とは反対側の基板１１の面が、開口部１０１ｃ内の平面部材１０１ａの上記所定面に取り付けられている。本実施形態では、後述する反射部７００ｆのそれぞれに対応する基板１１上の位置に、発光素子１２が４個ずつ設けられる。
【００２５】
また、基板１１には、反射体７００が放熱器１００に固定される際に固定ネジなどが貫通するネジ通孔１１ｃ〜１１ｄが形成されている。
【００２６】
また、放熱器１００の平面部材１０１ａには、反射体７００が放熱器１００に固定される際に、固定ネジ等がねじ込まれるネジ穴１００ｃ〜１００ｅが形成されている。
【００２７】
ここで、図５を参照して反射体７００について説明する。図５は、反射体７００の上面図である。反射体７００は、例えば、ＡＢＳ樹脂等の合成樹脂製、又は、アルミダイカストなどの金属製であり、上下両端が略円形に開口された６つの反射部７００ｆを有する。６つの反射部７００ｆのそれぞれは、４つの発光素子１２から放射される光を反射する。かかる反射体７００の周縁部には、放熱器１００に固定される際に固定ネジ等が貫通するネジ通孔７００ｃ〜７００ｅが形成される。
【００２８】
放熱器１００に、反射体７００を取り付ける場合には、図示しない固定ネジ等を、反射体７００のネジ通孔７００ｃ及び基板１１のネジ通孔１１ｃに通し、放熱器１００のネジ穴１００ｃにねじ込ませる。また、図示しない固定ネジ等を、反射体７００のネジ通孔７００ｄ及び基板１１のネジ通孔１１ｄに通し、放熱器１００のネジ穴１００ｄにねじ込ませる。また、図示しない固定ネジ等を、反射体７００のネジ通孔７００ｅ及び基板１１のネジ通孔１１ｅに通し、放熱器１００のネジ穴１００ｅにねじ込ませる。このようにして、放熱器１００に、反射体７００が取り付けられる。
【００２９】
また、反射体７００の側面の三箇所には溝が形成され、形成された３つの溝のそれぞれには、突起部材７１０ａ〜７１０ｃのそれぞれが形成されている。図６は、突起部材７１０ａが形成された部分の拡大図である。図６に示すように、反射体７００の側面に形成された３つの溝のうち１つの溝には、突起部材７１０ａが形成されている。また、溝が形成されたことにより、図６に示すように、段差７２０ａが形成されている。また、他の２つの溝のそれぞれにおいても、同様に、突起部材７１０ｂ及び段差７２０ｂ、突起部材７１０ｃ及び段差７２０ｃが形成されている。
【００３０】
図３及び図４の説明に戻り、下面カバー８００は、発光素子１２によって放射される光を透過させる。下面カバー８００は、反射体７００の下面に取り付けられることにより、反射体７００の下面を覆う。かかる下面カバー８００は、反射体７００の内部に埃等が入り込むことを防止する機能を有する。下面カバー８００の周縁部には、３つの固定部材８００ａ〜８００ｃが形成される。
【００３１】
図７は、下面カバー８００の周縁部に形成された固定部材８００ａの拡大図である。図７に示すように、固定部材８００ａには、突起部材７１０ａが嵌め込まれる穴８１０ａが形成されている。また、固定部材８００ａは、段差７２０ａと係合するための係合部８２０ａを有する。同様に、固定部材８００ｂには、突起部材７１０ｂが嵌め込まれる穴８１０ｂが形成され、固定部材８００ｂは、段差７２０ｂと係合するための係合部８２０ｂを有する。また、固定部材８００ｃには、突起部材７１０ｃが嵌め込まれる穴８１０ｃが形成され、固定部材８００ｃは、段差７２０ｃと係合するための係合部８２０ｃを有する。
【００３２】
反射体７００に、下面カバー８００を取り付ける場合には、図８に示すように、反射体７００の突起部材７１０ａを下面カバー８００の穴８１０ａに嵌め込むとともに、反射体７００の段差７２０ａと下面カバー８００の係合部８２０ａとを係合させる。同様に、反射体７００の突起部材７１０ｂを下面カバー８００の穴８１０ｂに嵌め込むとともに、反射体７００の段差７２０ｂと下面カバー８００の係合部８２０ｂとを係合させる。また、反射体７００の突起部材７１０ｃを下面カバー８００の穴８１０ｃに嵌め込むとともに、反射体７００の段差７２０ｃと下面カバー８００の係合部８２０ｃとを係合させる。このようにして、反射体７００に下面カバー８００が取り付けられる。
【００３３】
また、図３及び図４に示すように、開口部１０１ｃ内の筒状部材１０１ｂの側面には、第１固定部材１５０ａ、１５０ｂ、１５１ａ、１５１ｂ、１５２ａ、１５２ｂが設けられている。詳細については後述するが、第１固定部材１５０ａ、１５０ｂ、１５１ａ、１５１ｂ、１５２ａ、１５２ｂは、後述の第２固定部材２５０ａ、２５０ｂ、２５１ａ、２５１ｂ、２５２ａ、２５２ｂと係合することで、放熱器１００に化粧枠２００を固定する。また、以下の説明では、第１固定部材１５０ａ、１５０ｂ、１５１ａ、１５１ｂ、１５２ａ、１５２ｂのそれぞれを区別なく総称する場合は、単に、第１固定部材と表記することがある。同様に、以下の説明では、第２固定部材２５０ａ、２５０ｂ、２５１ａ、２５１ｂ、２５２ａ、２５２ｂのそれぞれを区別することなく総称する場合には、単に、第２固定部材と表記することがある。
【００３４】
第１固定部材１５０ａ、１５０ｂ（図４を参照）は、筒状部材１０１ｂの形状に沿って、開口部１０１ｃの開口側から発光素子１２に向かう方向に、間隔をあけて設けられている。図９は、第１固定部材１５０ａ、１５０ｂが位置する筒状部材１０１ｂの部分の拡大図である。図９に示すように、第１固定部材１５０ａ、１５０ｂのうち、開口部１０１ｃの開口側に位置する第１固定部材１５０ａの開口部１００ｃの周方向の長さＬ１よりも、平面部材１０１ａ側に位置する第１固定部材１５０ｂの開口部１０１ｃの周方向の長さＬ２の方が（Ｌ３＋Ｌ４）の長さだけ長い。この理由については後述するが、放熱器１００に対して化粧枠２００を固定させる場合に、第２固定部材２５０ａの挿入方向の位置決めをする際に、第１固定部材１５０ａの面１５０＿１（長さＬ３の部分の面）または面１５０＿２（長さＬ４の部分の面）が利用される。第１固定部材１５１ａ、１５１ｂも、同様に、筒状部材１０１ｂの形状に沿って、開口部１０１ｃの開口側から発光素子１２に向かう方向に、間隔をあけて設けられている。また、第１固定部材１５２ａ、１５２ｂも、同様に、筒状部材１０１ｂの形状に沿って、開口部１０１ｃの開口側から発光素子１２に向かう方向に、間隔をあけて設けられている。
【００３５】
化粧枠２００の取付部材２４０ａ〜２４０ｃのそれぞれには、取り付けバネ１５ａ〜１５ｃのそれぞれが嵌め込まれて取り付けられる。
【００３６】
また、図３及び図４に示すように、化粧枠２００は、放熱器１００の開口部１０１ｃに挿入される、筒状の部材である筒状部材２６０を有する。筒状部材２６０は、上下両端がそれぞれ略円形に開口された円筒形状に形成されている。図１０に示すように、筒状部材２６０の外面には、筒状部材２６０が開口部１０１ｃに挿入される方向に、間隔をあけて複数の第２固定部材２５０ａ、２５０ｂ、２５１ａ、２５１ｂが設けられている。また、同様に、筒状部材２６０の外面には、筒状部材２６０が開口部１０１ｃに挿入される方向に、間隔をあけて複数の固定部材２５２ａ、２５２ｂが設けられている。第２固定部材は、筒状部材２６０が開口部１０１ｃに挿入され長さが異なる複数の位置で第１固定部材と係合することが可能である。
【００３７】
ここで、第１固定部材１５０ａ、１５０ｂと第２固定部材２５０ａ、２５０ｂとが係合する。また、第１固定部材１５１ａ、１５１ｂと第２固定部材２５１ａ、２５１ｂとが係合する。また、第１固定部材１５２ａ、１５２ｂと第２固定部材２５０ａ、２５０ｂとが係合する。本実施形態では、第１固定部材と第２固定部材との係合の状態について２種類存在する。図１１及び図１２を参照して、第１固定部材と第２固定部材との係合の２種類の状態について説明する。
【００３８】
図１１には、２種類の状態のうち第１の状態の第１固定部材と第２固定部材との係合の状態が示されている。図１１は、第１固定部材と第２固定部材とが第１の状態で係合した場合に、各第１固定部材１５０ａ、１５０ｂ、１５１ａ、１５１ｂの中心の点を通る面で照明装置１を切断したときの模式的な断面図の一例を示す図である。図１１に示すように、第１の状態では、第１固定部材１５０ａ、１５０ｂの間に、第２固定部材２５０ａが位置する状態で、第１固定部材１５０ａ、１５０ｂと第２固定部材２５０ａ、２５０ｂとが係合する。また、図１１に示すように、第１の状態では、第１固定部材１５１ａ、１５１ｂの間に、第２固定部材２５１ａが位置する状態で、第１固定部材１５１ａ、１５１ｂと第２固定部材２５１ａ、２５１ｂとが係合する。なお、図示されていないが、第１の状態では、第１固定部材１５２ａ、１５２ｂの間に、第２固定部材２５２ａが位置する状態で、第１固定部材１５２ａ、１５２ｂと第２固定部材２５２ａ、２５２ｂとが係合する。
【００３９】
ここで、図１１に示す第１の状態となるように、第１固定部材と第２固定部材とを係合する場合には、先の図９に示す面１５０＿１又は１５０＿２に、第２固定部材２５０ａが当接するまで開口部１０１ｃに筒状部材２６０を挿入する。そして、面１５０＿１又は１５０＿２に、第２固定部材２５０ａが当接した場合には、第１固定部材１５１ａ、１５１ｂの間に、第２固定部材２５１ａが位置する状態となるまで筒状部材２６０を回転させる。これにより、図１１に示すように、第１固定部材１５０ａ、１５０ｂの間に、第２固定部材２５０ａが位置する状態で、第１固定部材１５０ａ、１５０ｂと第２固定部材２５０ａ、２５０ｂとが係合する。また、図１１に示すように、第１固定部材１５１ａ、１５１ｂの間に、第２固定部材２５１ａが位置する状態で、第１固定部材１５１ａ、１５１ｂと第２固定部材２５１ａ、２５１ｂとが係合する。また、第１固定部材１５２ａ、１５２ｂの間に、第２固定部材２５２ａが位置する状態で、第１固定部材１５２ａ、１５２ｂと第２固定部材２５２ａ、２５２ｂとが係合する。
【００４０】
また、第１の状態の第１固定部材と第２固定部材との係合を解除する場合には、第１固定部材と第２固定部材とを係合する場合に筒状部材２６０を回転させた方向と逆方向に筒状部材２６０を回転させることで、係合を解除することができる。
【００４１】
図１３を参照して、第１の状態での発光素子１２から化粧枠２００の下端部までの距離について説明する。図１３には、第１の状態での照明装置１の外観例が示されている。図１３の例では、発光素子１２から開口部１０１ｃの開口入口までの距離が「Ｌ１０」である場合が示されている。また、図１３の例では、開口部１０１ｃの開口入口から、開口部１０１ｃへの挿入方向とは反対方向の筒状部材２６０の端部までの距離が「Ｌ１１」である場合が示されている。また、図１３の例では、かかる端部から、化粧枠２００に形成された投光開口の下端部までの距離が「Ｌ１２」である場合が示されている。すなわち、図１３の例では、第１の状態での発光素子１２から化粧枠２００の下端部までの距離は、「Ｌ１０」と「Ｌ１１」と「Ｌ１２」との和「Ｌ１３」となる。ここで、発光素子１２から開口部１０１ｃの開口入口までの距離「Ｌ１０」、及び、上述の端部から、化粧枠２００に形成された投光開口の下端部までの距離「Ｌ１２」は、第１固定部材と第２固定部材との係合の状態に関わらず不変である。一方、開口部１０１ｃの開口入口から、開口部１０１ｃへの挿入方向とは反対方向の筒状部材２６０の端部までの距離は、第１固定部材と第２固定部材との係合の状態に応じて、変化する。この理由は、第１固定部材と第２固定部材との係合の状態に応じて、開口部１０１ｃに挿入される筒状部材２６０の長さが変わってくるからである。図１３の例に示す本実施形態に係る照明装置１のＵＧＲ値は、例えば、「１９」である。
【００４２】
図１２には、２種類の状態のうち第２の状態の第１固定部材と第２固定部材との係合の状態が示されている。図１２は、第１固定部材と第２固定部材とが第２の状態で係合した場合に、各第１固定部材１５０ａ、１５０ｂ、１５１ａ、１５１ｂの中心の点を通る面で照明装置１を切断したときの模式的な断面図の一例を示す図である。図１２に示すように、第２の状態では、第１固定部材１５０ａ、１５０ｂの間に、第２固定部材２５０ｂが位置する状態で、第１固定部材１５０ａ、１５０ｂと第２固定部材２５０ａ、２５０ｂとが係合する。また、図１２に示すように、第２の状態では、第１固定部材１５１ａ、１５１ｂの間に、第２固定部材２５１ｂが位置する状態で、第１固定部材１５１ａ、１５１ｂと第２固定部材２５１ａ、２５１ｂとが係合する。なお、図示されていないが、第２の状態では、第１固定部材１５２ａ、１５２ｂの間に、第２固定部材２５２ｂが位置する状態で、第１固定部材１５２ａ、１５２ｂと第２固定部材２５２ａ、２５２ｂとが係合する。
【００４３】
ここで、図１２に示す第２の状態となるように、第１固定部材と第２固定部材とを係合する場合には、平面部材１０１ａに、第２固定部材２５０ａ、２５１ａまたは２５２ａが当接するまで開口部１０１ｃに筒状部材２６０を挿入する。そして、平面部材１０１ａに、第２固定部材２５０ａ、２５１ａまたは２５２ａが当接した場合には、第１固定部材１５１ａ、１５１ｂの間に、第２固定部材２５１ｂが位置する状態となるまで筒状部材２６０を回転させる。これにより、図１２に示すように、第１固定部材１５０ａ、１５０ｂの間に、第２固定部材２５０ｂが位置する状態で、第１固定部材１５０ａ、１５０ｂと第２固定部材２５０ａ、２５０ｂとが係合する。また、図１２に示すように、第１固定部材１５１ａ、１５１ｂの間に、第２固定部材２５１ｂが位置する状態で、第１固定部材１５１ａ、１５１ｂと第２固定部材２５１ａ、２５１ｂとが係合する。また、第１固定部材１５２ａ、１５２ｂの間に、第２固定部材２５２ｂが位置する状態で、第１固定部材１５２ａ、１５２ｂと第２固定部材２５２ａ、２５２ｂとが係合する。
【００４４】
また、第２の状態の第１固定部材と第２固定部材との係合を解除する場合には、第１固定部材と第２固定部材とを係合する場合に筒状部材２６０を回転させた方向と逆方向に筒状部材２６０を回転させることで、係合を解除することができる。
【００４５】
図１４を参照して、第２の状態での発光素子１２から化粧枠２００の下端部までの距離について説明する。図１４には、第１の状態での照明装置１の外観例が示されている。図１４の例では、図１２の例の場合と同様に、発光素子１２から開口部１０１ｃの開口入口までの距離が「Ｌ１０」である場合が示されている。また、図１４の例では、図１２の例の場合と同様に、開口部１０１ｃへの挿入方向とは反対方向の筒状部材２６０の端部から、化粧枠２００に形成された投光開口の下端部までの距離が「Ｌ１２」である場合が示されている。また、図１４の例では、開口部１０１ｃの開口入口から、開口部１０１ｃへの挿入方向とは反対方向の筒状部材２６０の端部までの距離が、先の図１３の例に示す「Ｌ１１」よりも短い「Ｌ１４」である場合が示されている。このように、第２の状態では、第１の状態と比べて、開口部１０１ｃの開口入口から、開口部１０１ｃへの挿入方向とは反対方向の筒状部材２６０の端部までの距離が短くなる。この理由は、第２の状態の場合には、第１の状態の場合と比べて、開口部１０１ｃに挿入される筒状部材２６０の長さが長いからである。すなわち、図１４の例では、第２の状態での発光素子１２から化粧枠２００の下端部までの距離は、「Ｌ１０」と「Ｌ１４」と「Ｌ１２」との和「Ｌ１５」となり、先の図１３の例に示す第２の状態の距離「Ｌ１３」よりも短い。したがって、上述した係合の状態が第２の状態となる本実施形態に係る照明装置１の方が、第１の状態となる本実施形態に係る照明装置１よりも広範囲に光を放射する。そのため、図１４の例に示す本実施形態に係る照明装置１のＵＧＲ値は、先の図１３の例に示す本実施形態に係る照明装置１のＵＧＲ値よりも高く、例えば、「２１」となる。
【００４６】
（第１の実施形態の効果）
上述してきたように、第１の実施形態に係る照明装置１は、平面部材１０１ａ、及び、平面部材１０１ａの所定面から延びる筒状部材１０１ｂを有する放熱器１００を具備する。実施形態の照明装置１は、板状の基板１１の所定面に発光素子１２が実装され、かつ、所定面とは反対側の基板１１の面が、筒状部材１０１ｂによって形成された開口部１０１ｃ内の平面部材１０１ａの所定面に取り付けられた発光モジュール１２を具備する。実施形態の照明装置１は、基板１１の所定面側に設けられ、発光素子１２から放射される光を反射する反射体７００を具備する。実施形態の照明装置１は、開口部１０１ｃ内の筒状部材１０１ｂの側面に、開口部１０１ｃの開口側から発光素子１２に向かう方向に間隔をあけて設けられた複数の第１固定部材１５０ａ〜１５２ｂを具備する。実施形態の照明装置１は、投光開口が形成され、開口部１０１ｃに挿入される筒状部材２６０、及び、天井に固定されるための押さえ部材１５ａ〜１５ｃを有する化粧枠２００を具備する。実施形態の照明装置１は、筒状部材２６０が開口部１０１ｃに挿入される方向に、筒状部材２６０の外面に間隔をあけて設けられ、かつ、筒状部材２６０が開口部１０１ｃに挿入される長さが異なる複数の位置で第１固定部材１５０ａ〜１５２ｂと係合することが可能な複数の第２固定部材２５０ａ〜２５２ｂを具備する。このため、本実施形態に係る照明装置１では、化粧枠２００を回転させるなどの簡単な操作を行うことによって、発光素子１２から化粧枠２００の下端部までの距離を変化させることができる。したがって、本実施形態に係る照明装置１では、簡易に光の配光を変化させることができる。
【００４７】
また、本実施形態に係る照明装置１では、１つの化粧枠２００に対して操作を行うことによって、発光素子１２から化粧枠２００の下端部までの距離を変化させることができる。したがって、本実施形態に係る照明装置１によれば、少ない数の部品で光の配光を変化させることができる。
【００４８】
また、本実施形態に係る照明装置１において、複数の第１固定部材１５０ａ〜１５２ｂのそれぞれは、筒状部材１０１ｂに設けられた位置が平面部材１０１ａに近づくほど、開口部１０１ｃの周方向の長さが長くなる。これにより、例えば、第１固定部材１５０ａよりも長い第１固定部材１５０ｂは、第１固定部材と第２固定部材とを係合して放熱器１００に化粧枠２００を固定させる場合に、上記の挿入方向の第２固定部材の位置決めに用いることができる。したがって、本実施形態に係る照明装置１によれば、容易に放熱器１００に化粧枠２００を固定させることが可能となる。
【００４９】
また、本実施形態に係る照明装置１において、第１固定部材１５０ａ〜１５２ｂと放熱器１００とが一体成形されていてもよい。この場合、第１固定部材１５０ａ〜１５２ｂ及び放熱器１００の部品の数は１つとなる。したがって、少ない数の部品で光の配光を変化させることができる。
【００５０】
また、本実施形態に係る照明装置１において、第１固定部材１５０ａ〜１５２ｂは、アルミダイカストを含む材料により形成された部材であってもよい。この場合、第１固定部材１５０ａ〜１５２ｂは、放熱機能を有することとなる。したがって、発光素子１２から発生するより多くの熱を外部に放出することができる。
【００５１】
（第２の実施形態）
次に、第２の実施形態に係る照明装置について説明する。第２の実施形態に係る照明装置は、第１の実施形態に係る照明装置１と比べて、化粧枠２００の筒状部材２６０に下記に説明する溝が形成された点のみが異なる。そのため、第２の実施形態に係る照明装置の化粧枠２００について説明し、その他の部品や部材などの説明については省略する。
【００５２】
図１５は、第２の実施形態に係る照明装置の化粧枠２００の外観例を示す図である。図１５に示すように、化粧枠２００の筒状部材２６０には、溝２７０、２７１が形成されている。溝２７０は、第１固定部材と第２固定部材との係合の状態が、先の図１１に示す第１の状態である場合に、放熱器１００の開口部の開口部分の位置と一致するように筒状部材２６０に形成されたものである。また、溝２７１は、第１固定部材と第２固定部材との係合の状態が、先の図１２に示す第２の状態である場合に、放熱器１００の開口部の開口部分の位置と一致するように筒状部材２６０に形成されたものである。
【００５３】
ここで、本実施形態において、先の図１１に示す第１の状態となるように、第１固定部材と第２固定部材とを係合する場合には、放熱器１００の開口部１０１ｃの開口部分の位置が溝２７０の位置にくるまで、開口部１０１ｃに筒状部材２６０を挿入する。この状態において、先の図９に示す面１５０＿１又は１５０＿２に、第２固定部材２５０ａが当接していない場合には、開口部１０１ｃへの筒状部材２６０の挿入をやり直す。一方、面１５０＿１又は１５０＿２に、第２固定部材２５０ａが当接した場合には、第１固定部材１５１ａ、１５１ｂの間に、第２固定部材２５１ａが位置する状態となるまで筒状部材２６０を回転させる。これにより、先の図１１に示すように、第１固定部材１５０ａ、１５０ｂの間に、第２固定部材２５０ａが位置する状態で、第１固定部材１５０ａ、１５０ｂと第２固定部材２５０ａ、２５０ｂとが係合する。また、図１１に示すように、第１固定部材１５１ａ、１５１ｂの間に、第２固定部材２５１ａが位置する状態で、第１固定部材１５１ａ、１５１ｂと第２固定部材２５１ａ、２５１ｂとが係合する。また、第１固定部材１５２ａ、１５２ｂの間に、第２固定部材２５２ａが位置する状態で、第１固定部材１５２ａ、１５２ｂと第２固定部材２５２ａ、２５２ｂとが係合する。
【００５４】
また、本実施形態において、先の図１２に示す第２の状態となるように、第１固定部材と第２固定部材とを係合する場合には、放熱器１００の開口部１０１ｃの開口部分の位置が溝２７１の位置にくるまで、開口部１０１ｃに筒状部材２６０を挿入する。この状態において、平面部材１０１ａに、第２固定部材２５０ａ、２５１ａまたは２５２ａが当接していない場合には、開口部１０１ｃへの筒状部材２６０の挿入をやり直す。一方、平面部材１０１ａに、第２固定部材２５０ａ、２５１ａまたは２５２ａが当接した場合には、第１固定部材１５１ａ、１５１ｂの間に、第２固定部材２５１ｂが位置する状態となるまで筒状部材２６０を回転させる。これにより、図１２に示すように、第１固定部材１５０ａ、１５０ｂの間に、第２固定部材２５０ｂが位置する状態で、第１固定部材１５０ａ、１５０ｂと第２固定部材２５０ａ、２５０ｂとが係合する。また、図１２に示すように、第１固定部材１５１ａ、１５１ｂの間に、第２固定部材２５１ｂが位置する状態で、第１固定部材１５１ａ、１５１ｂと第２固定部材２５１ａ、２５１ｂとが係合する。また、第１固定部材１５２ａ、１５２ｂの間に、第２固定部材２５２ｂが位置する状態で、第１固定部材１５２ａ、１５２ｂと第２固定部材２５２ａ、２５２ｂとが係合する。
【００５５】
（第２の実施形態の効果）
上述してきたように、第２の実施形態に係る照明装置の筒状部材２６０には、筒状部材２６０が開口部１０１ｃに挿入される長さが異なる複数の位置で第１固定部材１５０ａ〜１５２ｂと第２固定部材２５０ａ〜２５２ｂとが係合した場合における開口部１０１ｃの開口部分の位置を示す溝２７０、２７１が形成されている。これにより、開口部１０１ｃの開口部分の位置と、溝２７０または溝２７１の位置とが一致した場合に、筒状部材２６０を回転させるだけで、第１固定部材１５０ａ〜１５２ｂと第２固定部材２５０ａ〜２５２ｂとが係合させることができる。したがって、より簡易に光の配光を変化させることができる。
【００５６】
また、本実施形態に係る照明装置において、第１固定部材１５０ａ〜１５２ｂと放熱器１００とが一体成形されていてもよい。この場合、第１固定部材１５０ａ〜１５２ｂ及び放熱器１００の部品の数は１つとなる。したがって、少ない数の部品で光の配光を変化させることができる。
【００５７】
また、本実施形態に係る照明装置において、第１固定部材１５０ａ〜１５２ｂは、アルミダイカストを含む材料により形成された部材であってもよい。この場合、第１固定部材１５０ａ〜１５２ｂは、放熱機能を有することとなる。したがって、発光素子１２から発生するより多くの熱を外部に放出することができる。
【００５８】
（第３の実施形態）
次に、第３の実施形態に係る照明装置について説明する。第３の実施形態に係る照明装置は、第２の実施形態に係る照明装置と比べて、化粧枠２００の筒状部材２６０に下記に説明する第３固定部材２８１、２８２が形成された点のみが異なる。そのため、第３の実施形態に係る照明装置の化粧枠２００について説明し、その他の部品や部材などの説明については省略する。
【００５９】
図１６は、第３の実施形態に係る照明装置の化粧枠２００の外観例を示す図である。図１６に示すように、第１固定部材２５１ａと第１固定部材２５１ｂとの間に、第２固定部材の位置を固定するための第３固定部材２８１が設けられている。また、第１固定部材２５０ａと第１固定部材２５０ｂとの間に、第２固定部材の位置を固定するための第３固定部材２８２が設けられている。なお、第１固定部材２５２ａと第１固定部材２５２ｂとの間に、同様に、第２固定部材の位置を固定するための第３固定部材を設けることもできる。
【００６０】
第３固定部材２８１、２８２は、第２固定部材に係合する第１固定部材が図１６中右方向に移動することを防止する。これにより、第３固定部材２８１、２８２は、第２固定部材に係合する第１固定部材の位置を固定する。
【００６１】
（第３の実施形態の効果）
上述してきたように、第３の実施形態に係る照明装置の第１固定部材２５１ａと第１固定部材２５１ｂとの間に、第２固定部材の位置を固定するための第３固定部材２８１が設けられている。また、第１固定部材２５０ａと第１固定部材２５０ｂとの間に、第２固定部材の位置を固定するための第３固定部材２８２が設けられている。したがって、より精度よく第１固定部材の位置を固定することができる。
【００６２】
また、本実施形態に係る照明装置において、第１固定部材１５０ａ〜１５２ｂと放熱器１００とが一体成形されていてもよい。この場合、第１固定部材１５０ａ〜１５２ｂ及び放熱器１００の部品の数は１つとなる。したがって、少ない数の部品で光の配光を変化させることができる。
【００６３】
また、本実施形態に係る照明装置において、第１固定部材１５０ａ〜１５２ｂは、アルミダイカストを含む材料により形成された部材であってもよい。この場合、第１固定部材１５０ａ〜１５２ｂは、放熱機能を有することとなる。したがって、発光素子１２から発生するより多くの熱を外部に放出することができる。
【００６４】
また、上記実施形態に係る各部材の形状、原料及び材質は、実施形態や各図に表記した例に限られない。
【００６５】
また、上記実施形態では、固定ネジによって各部材を固設する例を示したが、固定ネジ以外のピン等の固定部材によって各部材が固設されてもよい。
【００６６】
以上説明したとおり、上記実施形態によれば、簡易に光の配光を変化させることができる。
【００６７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６８】
１        照明器具
１０      発光モジュール
１００    放熱器
１５０ａ〜１５２ｂ  第１固定部材
２００    化粧枠
２５０ａ〜２５２ｂ  第２固定部材
７００    反射体
【図１】
2014067505.tif 000003
【図２】
2014067505.tif 000004
【図３】
2014067505.tif 000005
【図４】
2014067505.tif 000006
【図５】
2014067505.tif 000007
【図６】
2014067505.tif 000008
【図７】
2014067505.tif 000009
【図８】
2014067505.tif 000010
【図９】
2014067505.tif 000011
【図１０】
2014067505.tif 000012
【図１１】
2014067505.tif 000013
【図１２】
2014067505.tif 000014
【図１３】
2014067505.tif 000015
【図１４】
2014067505.tif 000016
【図１５】
2014067505.tif 000017
【図１６】
2014067505.tif 000018